(57)【特許請求の範囲】
【請求項１】
ＭＢＭＳデータの同報配信をサポートする一般セルと前記ＭＢＭＳデータの同報配信をサポートしない特定セルとを含む移動通信システムにおいて、前記ＭＢＭＳデータを移動端末に配信するための移動通信方法であって、
前記特定セルは、ＨｅＮＢである無線基地局によって管理され、
前記特定セルが、Ｅ‐ＵＴＲＡＮを構成するネットワーク機器から、前記一般セルで同報配信されるＭＢＭＳについての第１のサービス情報を含む第１のメッセージを取得するステップＡと、
前記特定セルが、ＭＢＭＳについての第２のサービス情報を含む第２のメッセージが報知されるタイミングに関するシステム情報を報知するステップＢと、
前記特定セルが、前記システム情報によって示されるタイミングにおいて、前記第２のメッセージを報知するステップＣと、
前記特定セルに在圏する前記移動端末が、前記特定セルから報知される前記システム情報によって示されるタイミングにおいて、前記特定セルから報知される前記第２のメッセージを受信するステップＤと、を備え、
前記第２のサービス情報は、前記第１のサービス情報に基づくことを特徴とする移動通信方法。
【請求項２】
ＭＢＭＳデータの同報配信をサポートする一般セルと前記ＭＢＭＳデータの同報配信をサポートしない特定セルとを含む移動通信システムにおいて、前記ＭＢＭＳデータを受信する移動端末であって、
前記特定セルは、ＨｅＮＢである無線基地局によって管理され、
ＭＢＭＳについての第２のサービス情報を含む第２のメッセージが報知されるタイミングに関するシステム情報を前記特定セルから受信する受信部を備え、
前記受信部は、前記特定セルから報知される前記システム情報によって示されるタイミングにおいて、前記特定セルから報知される前記第２のメッセージを受信し、
前記第２のサービス情報は、前記特定セルが、Ｅ‐ＵＴＲＡＮを構成するネットワーク機器から取得した、前記一般セルで同報配信されるＭＢＭＳについての第１のサービス情報に基づくことを特徴とする移動端末。
【請求項３】
ＭＢＭＳデータの同報配信をサポートする一般セルと前記ＭＢＭＳデータの同報配信をサポートしない特定セルとを含む移動通信システムにおいて、前記特定セルを管理する無線基地局であって、
前記無線基地局は、ＨｅＮＢであり、Ｅ‐ＵＴＲＡＮを構成するネットワーク機器から、前記一般セルで同報配信されるＭＢＭＳについての第１のサービス情報を含む第１のメッセージを取得する制御部を備え、
前記制御部は、ＭＢＭＳについての第２のサービス情報を含む第２のメッセージが報知されるタイミングに関するシステム情報を報知し、
前記制御部は、前記システム情報によって示されるタイミングにおいて、前記第２のメッセージを報知し、
前記第２のサービス情報は、前記第１のサービス情報に基づくことを特徴とする無線基地局。
【請求項４】
ＭＢＭＳデータの同報配信をサポートする一般セルと前記ＭＢＭＳデータの同報配信をサポートしない特定セルとを含む移動通信システムにおいて、前記ＭＢＭＳデータを受信する移動端末で用いるプログラムであって、コンピュータに、
ＭＢＭＳについての第２のサービス情報を含む第２のメッセージが報知されるタイミングに関する情報であって前記特定セルから報知されるシステム情報を受信するステップと、
前記特定セルから報知される前記システム情報によって示されるタイミングにおいて、前記特定セルから報知される前記第２のメッセージを受信するステップと、を実行させ、
前記第２のサービス情報は、前記特定セルが、Ｅ‐ＵＴＲＡＮを構成するネットワーク機器セルから取得した、前記一般セルで同報配信されるＭＢＭＳについての第１のサービス情報に基づき、
前記特定セルは、ＨｅＮＢである無線基地局によって管理される、ことを特徴とするプログラム。
【発明の詳細な説明】
【技術分野】
【０００１】
本発明は、ＭＢＭＳデータの同報配信をサポートする一般セルと前記ＭＢＭＳデータの同報配信をサポートしない特定セルとを含む移動通信システムに適用される移動通信方法及び移動端末、無線基地局及びプログラムに関する。
【背景技術】
【０００２】
従来、ＭＢＭＳデータの同報配信をサポートする一般セル（例えば、マクロセル）が知られている。また、ＣＳＧ（Ｃｌｏｓｅｄ Ｓｕｂｓｃｒｉｂｅｒ Ｇｒｏｕｐ）セル、ホームセル又はフェムトセルなどと称される特定セルも知られている。
【０００３】
なお、特定セルには、アクセス種別を設定することが可能である。アクセス種別は、「Ｃｌｏｓｅｄ」、「Ｈｙｂｒｉｄ」又は「Ｏｐｅｎ」である。
【０００４】
ここで、特定セルは、ＭＢＭＳデータの同報配信をサポートしていない。従って、一般セルから特定セルへのハンドオーバやセル選択が行われると、特定セルにおいて、ＭＢＭＳデータに関する情報を移動端末が取得できない。
【先行技術文献】
【特許文献】
【０００５】
【非特許文献１】３ＧＰＰ ＴＳ３６．３００Ｖ９．４．０
【発明の概要】
【０００６】
第１の特徴に係る移動通信方法は、ＭＢＭＳデータの同報配信をサポートする一般セルと前記ＭＢＭＳデータの同報配信をサポートしない特定セルとを含む移動通信システムにおいて、前記ＭＢＭＳデータを移動端末に配信するための方法である。移動通信方法は、前記特定セルが、前記ＭＢＭＳデータの内容を示すＭＢＭＳサービス情報が報知されるタイミングを示すＭＢＭＳサービス変更情報を報知するステップＡと、前記ＭＢＭＳサービス変更情報によって示されるタイミングにおいて、前記ＭＢＭＳサービス情報を報知するステップＢと、前記特定セルに在圏する前記移動端末が、前記特定セルから報知される前記ＭＢＭＳサービス変更情報によって示されるタイミングにおいて、前記特定セルから報知される前記ＭＢＭＳサービス情報を受信するステップＣとを備える。
【０００７】
第２の特徴に係る移動端末は、ＭＢＭＳデータの同報配信をサポートする一般セルと前記ＭＢＭＳデータの同報配信をサポートしない特定セルとを含む移動通信システムにおいて、前記ＭＢＭＳデータを受信する。移動端末は、前記ＭＢＭＳデータの内容を示すＭＢＭＳサービス情報が報知されるタイミングを示すＭＢＭＳサービス変更情報を前記特定セルから受信する受信部を備える。前記受信部は、前記特定セルから報知される前記ＭＢＭＳサービス変更情報によって示されるタイミングにおいて、前記特定セルから報知される前記ＭＢＭＳサービス情報を受信する。
【０００８】
第３の特徴に係る無線基地局は、ＭＢＭＳデータの同報配信をサポートする一般セルと前記ＭＢＭＳデータの同報配信をサポートしない特定セルとを含む移動通信システムにおいて、前記特定セルを管理する。無線基地局は、前記ＭＢＭＳデータの内容を示すＭＢＭＳサービス情報が報知されるタイミングを示すＭＢＭＳサービス変更情報を報知する報知部を備える。前記報知部は、前記ＭＢＭＳサービス変更情報によって示されるタイミングにおいて、前記ＭＢＭＳサービス情報を報知する。
【０００９】
第４の特徴に係るプログラムは、ＭＢＭＳデータの同報配信をサポートする一般セルと前記ＭＢＭＳデータの同報配信をサポートしない特定セルとを含む移動通信システムにおいて、前記ＭＢＭＳデータを受信する移動端末で用いる。プログラムは、前記ＭＢＭＳデータの内容を示すＭＢＭＳサービス情報が報知されるタイミングを示しており、前記特定セルから報知されるＭＢＭＳサービス変更情報を受信するステップと、前記特定セルから報知される前記ＭＢＭＳサービス変更情報によって示されるタイミングにおいて、前記特定セルから報知される前記ＭＢＭＳサービス情報を受信するステップとをコンピュータに実行させる。
【図面の簡単な説明】
【００１０】
【図１】図１は、第１実施形態に係る移動通信システム１００を示す図である。
【図２】図２は、第１実施形態に係る無線フレームを示す図である。
【図３】図３は、第１実施形態に係る無線リソースを示す図である。
【図４】図４は、第１実施形態に係る無線基地局３１０を示すブロック図である。
【図５】図５は、第１実施形態に係るＵＥ１０を示すブロック図である。
【図６】図６は、第１実施形態に係る移動通信方法を示すシーケンス図である。
【発明を実施するための形態】
【００１１】
以下において、本発明の実施形態に係る移動通信システムについて、図面を参照しながら説明する。なお、以下の図面の記載において、同一又は類似の部分には、同一又は類似の符号を付している。
【００１２】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１３】
［実施形態の概要］  
実施形態に係る移動通信方法は、ＭＢＭＳデータの同報配信をサポートする一般セルと前記ＭＢＭＳデータの同報配信をサポートしない特定セルとを含む移動通信システムにおいて、前記ＭＢＭＳデータを移動端末に配信するための方法である。移動通信方法は、前記特定セルが、前記ＭＢＭＳデータの内容を示すＭＢＭＳサービス情報が報知されるタイミングを示すＭＢＭＳサービス変更情報を報知するステップＡと、前記ＭＢＭＳサービス変更情報によって示されるタイミングにおいて、前記ＭＢＭＳサービス情報を報知するステップＢと、前記特定セルに在圏する前記移動端末が、前記特定セルから報知される前記ＭＢＭＳサービス変更情報によって示されるタイミングにおいて、前記特定セルから報知される前記ＭＢＭＳサービス情報を受信するステップＣとを備える。
【００１４】
実施形態では、ＭＢＭＳサービス情報及びＭＢＭＳサービス変更情報が特定セルから報知されるため、移動端末は、特定セルから報知されるＭＢＭＳサービス情報を受信することができる。従って、待受セルが特定セルであっても、移動端末は、ＭＢＭＳデータに関する情報（ＭＢＭＳサービス情報）を継続的に取得することができる。
【００１５】
なお、実施形態において、特定セルは、小規模かつ大規模に配備されるセルであることが好ましい。特定セルは、ＨＮＢ（Ｈｏｍｅ Ｎｏｄｅ Ｂ）、ＨｅＮＢ（Ｈｏｍｅ Ｅｖｏｌｖｅｄ Ｎｏｄｅ Ｂ）、フェムトＢＴＳなどによって管理されるセルであることが好ましい。すなわち、特定セルを管理する無線基地局は、ＨＮＢ、ＨｅＮＢ、フェムトＢＴＳなどである。
【００１６】
［第１実施形態］  
（移動通信システム）  
以下において、第１実施形態に係る移動通信システムについて説明する。図１は、第１実施形態に係る移動通信システム１００を示す図である。
【００１７】
図１に示すように、移動通信システム１００は、無線端末１０（以下、ＵＥ１０）と、コアネットワーク５０とを含む。また、移動通信システム１００は、第１通信システムと第２通信システムとを含む。
【００１８】
第１通信システムは、例えば、ＬＴＥ（Ｌｏｎｇ Ｔｅｒｍ Ｅｖｏｌｕｔｉｏｎ）に対応する通信システムである。第１通信システムは、例えば、基地局１１０Ａ（以下、ｅＮＢ１１０Ａ）と、ホーム基地局１１０Ｂ（以下、ＨｅＮＢ１１０Ｂ）と、ホーム基地局ゲートウェイ１２０Ｂ（以下、ＨｅＮＢ−ＧＷ１２０Ｂ）と、ＭＭＥ１３０とを有する。
【００１９】
なお、第１通信システムに対応する無線アクセスネットワーク（Ｅ−ＵＴＲＡＮ；Ｅｖｏｌｅｄ Ｕｎｉｖｅｒｓａｌ Ｔｅｒｒｅｓｔｒｉａｌ Ｒａｄｉｏ Ａｃｃｅｓｓ Ｎｅｔｗｏｒｋ）は、ｅＮＢ１１０Ａ、ＨｅＮＢ１１０Ｂ及びＨｅＮＢ−ＧＷ１２０Ｂによって構成される。
【００２０】
第２通信システムは、例えば、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）に対応する通信システムである。第２通信システムは、基地局２１０Ａ（以下、ＮＢ２１０Ａ）と、ホーム基地局２１０Ｂ（以下、ＨＮＢ２１０Ｂ）と、ＲＮＣ２２０Ａと、ホーム基地局ゲートウェイ２２０Ｂ（以下、ＨＮＢ−ＧＷ２２０Ｂ）と、ＳＧＳＮ２３０とを有する。
【００２１】
なお、第２通信システムに対応する無線アクセスネットワーク（ＵＴＲＡＮ；Ｕｎｉｖｅｒｓａｌ Ｔｅｒｒｅｓｔｒｉａｌ Ｒａｄｉｏ Ａｃｃｅｓｓ Ｎｅｔｗｏｒｋ）は、ＮＢ２１０Ａ、ＨＮＢ２１０Ｂ、ＲＮＣ２２０Ａ、ＨＮＢ−ＧＷ２２０Ｂによって構成される。
【００２２】
ＵＥ１０は、第２通信システム或いは第１通信システムと通信を行うように構成された装置（Ｕｓｅｒ Ｅｑｕｉｐｍｅｎｔ）である。例えば、ＵＥ１０は、ｅＮＢ１１０Ａ及びＨｅＮＢ１１０Ｂと無線通信を行う機能を有する。或いは、ＵＥ１０は、ＮＢ２１０Ａ及びＨＮＢ２１０Ｂと無線通信を行う機能を有する。
【００２３】
ｅＮＢ１１０Ａは、一般セル１１１Ａを管理しており、一般セル１１１Ａに存在するＵＥ１０と無線通信を行う装置（ｅｖｏｌｖｅｄ ＮｏｄｅＢ）である。
【００２４】
ＨｅＮＢ１１０Ｂは、特定セル１１１Ｂを管理しており、特定セル１１１Ｂに存在するＵＥ１０と無線通信を行う装置（Ｈｏｍｅ ｅｖｏｌｖｅｄ ＮｏｄｅＢ）である。
【００２５】
ＨｅＮＢ−ＧＷ１２０Ｂは、ＨｅＮＢ１１０Ｂに接続されており、ＨｅＮＢ１１０Ｂを管理する装置（Ｈｏｍｅ ｅｖｏｌｖｅｄ ＮｏｄｅＢ Ｇａｔｅｗａｙ）である。
【００２６】
ＭＭＥ１３０は、ｅＮＢ１１０Ａと接続されており、ＨｅＮＢ１１０Ｂと無線接続を設定しているＵＥ１０の移動性を管理する装置（Ｍｏｂｉｌｉｔｙ Ｍａｎａｇｅｍｅｎｔ Ｅｎｔｉｔｙ）である。また、ＭＭＥ１３０は、ＨｅＮＢ−ＧＷ１２０Ｂを介してＨｅＮＢ１１０Ｂと接続されており、ＨｅＮＢ１１０Ｂと無線接続を設定しているＵＥ１０の移動性を管理する装置である。
【００２７】
ＮＢ２１０Ａは、一般セル２１１Ａを管理しており、一般セル２１１Ａに存在するＵＥ１０と無線通信を行う装置（ＮｏｄｅＢ）である。
【００２８】
ＨＮＢ２１０Ｂは、特定セル２１１Ｂを管理しており、特定セル２１１Ｂに存在するＵＥ１０と無線通信を行う装置（Ｈｏｍｅ ＮｏｄｅＢ）である。
【００２９】
ＲＮＣ２２０Ａは、ＮＢ２１０Ａに接続されており、一般セル２１１Ａに存在するＵＥ１０と無線接続（ＲＲＣ Ｃｏｎｎｅｃｔｉｏｎ）を設定する装置（Ｒａｄｉｏ Ｎｅｔｗｏｒｋ Ｃｏｎｔｒｏｌｌｅｒ）である。
【００３０】
ＨＮＢ−ＧＷ２２０Ｂは、ＨＮＢ２１０Ｂに接続されており、特定セル２１１Ｂに存在するＵＥ１０と無線接続（ＲＲＣ Ｃｏｎｎｅｃｔｉｏｎ）を設定する装置（Ｈｏｍｅ ＮｏｄｅＢ Ｇａｔｅｗａｙ）である。
【００３１】
ＳＧＳＮ２３０は、パケット交換ドメインにおいてパケット交換を行う装置（Ｓｅｒｖｉｎｇ ＧＰＲＳ Ｓｕｐｐｏｒｔ Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ Ｓｗｉｔｃｈｉｎｇ Ｃｅｎｔｅｒ）がコアネットワーク５０に設けられていてもよい。
【００３２】
なお、一般セル及び特定セルは、ＵＥ１０と無線通信を行う機能として理解すべきである。但し、一般セル及び特定セルは、セルのカバーエリアを示す用語としても用いられる。また、一般セル及び特定セルなどのセルは、セルで用いられる周波数、拡散コード又はタイムスロットなどによって識別される。
【００３３】
特定セルは、フェムトセル、ＣＳＧ（Ｃｌｏｓｅｄ Ｓｕｂｓｃｒｉｂｅｒ Ｇｒｏｕｐ）セル、ホームセルなどと称されることもある。また、特定セルは、特定セルにアクセス可能なＵＥ１０を規定するアクセス種別が設定可能に構成されている。アクセス種別は、「Ｃｌｏｓｅｄ」、「Ｈｙｂｒｉｄ」又は「Ｏｐｅｎ」である。
【００３４】
「Ｃｌｏｓｅｄ」の特定セルは、特定セルによって管理されるＵＥ１０（ＵＥ；Ｕｓｅｒ Ｅｑｕｉｐｍｅｎｔ）に対するサービスの提供のみが許可されるように構成される。
【００３５】
「Ｈｙｂｒｉｄ」の特定セルは、例えば、特定セルによって管理されるＵＥ１０に対して高品質の通信が許可されるように構成されており、特定セルによって管理されていないＵＥ１０に対してベストエフォート品質の通信が許可されるように構成される。
【００３６】
「Ｏｐｅｎ」の特定セルは、一般セルと同様に、全てのＵＥ１０に対するサービスの提供が許可されるように構成される。なお、「Ｏｐｅｎ」のセルでは、特定セルによって管理されている否かによって、ＵＥ１０間の通信品質の差異が区別されない。
【００３７】
なお、アクセス種別は、アクセスクラス毎にＵＥ１０のアクセスを禁止する「ＡＣＣＥＳＳ ＣＬＡＳＳ ＢＡＲＲＥＤ」、セル毎にＵＥ１０のアクセスを禁止する「ＣＥＬＬ ＢＡＲＲＥＤ」であってもよい。
【００３８】
なお、以下においては、第１通信システムについて主として説明する。但し、以下の記載が第２通信システムに適用されてもよい。
【００３９】
ここで、第１通信システムでは、下り方向の多重方式として、ＯＦＤＭＡ（Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ）方式が用いられており、上り方向の多重方式として、ＳＣ−ＦＤＭＡ（Ｓｉｎｇｌｅ−Ｃａｒｒｉｅｒ Ｆｒｅｑｕｅｎｃｙ Ｄｉｖｉｓｉｏｎ Ｍｕｌｔｉｐｌｅ Ａｃｃｅｓｓ）方式が用いられる。
【００４０】
また、第１通信システムでは、上り方向のチャネルとして、上り方向制御チャネル（ＰＵＣＣＨ；Ｐｈｙｓｉｃａｌ Ｕｐｌｉｎｋ Ｃｏｎｔｒｏｌ Ｃｈａｎｎｅｌ）及び上り方向共有チャネル（ＰＵＳＣＨ；Ｐｈｙｓｉｃａｌ Ｕｐｌｉｎｋ Ｓｈａｒｅｄ Ｃｈａｎｎｅｌ）などが存在する。また、下り方向のチャネルとして、下り方向制御チャネル（ＰＤＣＣＨ；Ｐｈｙｓｉｃａｌ Ｄｏｗｎｌｉｎｋ Ｃｏｎｔｒｏｌ Ｃｈａｎｎｅｌ）及び下り方向共有チャネル（ＰＤＳＣＨ；Ｐｈｙｓｉｃａｌ Ｄｏｗｎｌｉｎｋ Ｓｈａｒｅｄ Ｃｈａｎｎｅｌ）などが存在する。
【００４１】
上り方向制御チャネルは、制御信号を搬送するチャネルである。制御信号は、例えば、ＣＱＩ（Ｃｈａｎｎｅｌ Ｑｕａｌｉｔｙ Ｉｎｄｉｃａｔｏｒ）、ＰＭＩ（Ｐｒｅｃｏｄｉｎｇ Ｍａｔｒｉｘ Ｉｎｄｉｃａｔｏｒ）、ＲＩ（Ｒａｎｋ Ｉｎｄｉｃａｔｏｒ）、ＳＲ（Ｓｃｈｅｄｕｌｉｎｇ Ｒｅｑｕｅｓｔ）、ＡＣＫ／ＮＡＣＫなどである。
【００４２】
ＣＱＩは、下り方向の伝送に使用すべき推奨変調方式と符号化速度を通知する信号である。ＰＭＩは、下り方向の伝送の為に使用することが望ましいプリコーダマトリックスを示す信号である。ＲＩは、下り方向の伝送に使用すべきレイヤ数（ストリーム数）を示す信号である。ＳＲは、上り方向無線リソース（後述するリソースブロック）の割当てを要求する信号である。ＡＣＫ／ＮＡＣＫは、下り方向のチャネル（例えば、ＰＤＳＣＨ）を介して送信される信号を受信できたか否かを示す信号である。
【００４３】
上り方向共有チャネルは、制御信号（上述した制御信号を含む）又は／及びデータ信号を搬送するチャネルである。例えば、上り方向無線リソースは、データ信号にのみ割当てられてもよく、データ信号及び制御信号が多重されるように割当てられてもよい。
【００４４】
下り方向制御チャネルは、制御信号を搬送するチャネルである。制御信号は、例えば、Ｕｐｌｉｎｋ ＳＩ（Ｓｃｈｅｄｕｌｉｎｇ Ｉｎｆｏｒｍａｔｉｏｎ）、Ｄｏｗｎｌｉｎｋ ＳＩ（Ｓｃｈｅｄｕｌｉｎｇ Ｉｎｆｏｒｍａｔｉｏｎ）、ＴＰＣビットである。
【００４５】
ＵｐｌｉｎｋＳＩは、上り方向無線リソースの割当てを示す信号である。Ｄｏｗｎｌｉｎｋ ＳＩは、下り方向無線リソースの割当てを示す信号である。ＴＰＣビットは、上り方向のチャネルを介して送信される信号の電力の増減を指示する信号である。
【００４６】
下り方向共有チャネルは、制御信号又は／及びデータ信号を搬送するチャネルである。例えば、下り方向無線リソースは、データ信号にのみ割当てられてもよく、データ信号及び制御信号が多重されるように割当てられてもよい。
【００４７】
なお、下り方向共有チャネルを介して送信される制御信号としては、ＴＡ（Ｔｉｍｉｎｇ Ａｄｖａｎｃｅ）が挙げられる。ＴＡは、ＵＥ１０とｅＮＢ１１０Ａとの間の送信タイミング補正情報であり、ＵＥ１０から送信される上り方向信号に基づいてｅＮＢ１１０Ａによって測定される。
【００４８】
また、下り方向制御チャネル（ＰＤＣＣＨ）下り方向共有チャネル（ＰＤＳＣＨ）以外のチャネルを介して送信される制御信号としては、ＡＣＫ／ＮＡＣＫが挙げられる。ＡＣＫ／ＮＡＣＫは、上り方向のチャネル（例えば、ＰＵＳＣＨ）を介して送信される信号を受信できたか否かを示す信号である。
【００４９】
第１実施形態において、一般セルは、ＭＢＭＳデータの同報配信をサポートするセルである。一般セルは、ＭＢＭＳデータの内容（番組表）を示すＭＢＭＳサービス情報を報知する。或いは、一般セルは、ＭＢＭＳサービス情報が変更される旨及びＭＢＭＳサービス情報が変更されるタイミングを示すＭＢＭＳサービス変更情報を報知する。例えば、一般セルは、ＭＢＭＳデータをＭＴＣＨ（Ｍｕｌｔｉｃａｓｔ Ｔｒａｆｆｉｃ Ｃｈａｎｎｅｌ）を介して送信する。また、一般セルは、ＭＢＭＳデータの内容（番組表）を示すＭＢＭＳサービス情報をＭＣＣＨ（Ｍｕｌｔｉｃａｓｔ Ｔｒａｆｆｉｃ Ｃｈａｎｎｅｌ）を介して送信する。或いは、一般セルは、ＭＢＭＳサービス情報をＭＴＣＨを介して送信する。或いは、一般セルは、ＭＢＭＳサービス情報を、報知チャネルを用いてＳＩＢとして報知する。
【００５０】
これに対して、特定セルは、ＭＢＭＳデータの同報配信をサポートしないセルである。従って、特定セルは、ＭＢＭＳデータを同報配信する機能を有しておらず、一般的には、ＭＢＭＳサービス情報やＭＢＭＳサービス変更情報も報知しないことに留意すべきである。但し、特定セルは、特定セルと接続しているコネクティッド状態のＵＥ１０に対して、ＭＢＭＳデータを送信することは可能である。例えば、特定セルは、ＰＤＳＣＨを用いてＭＢＭＳデータを送信することが可能である。
【００５１】
なお、一般セル及び特定セルは、報知チャネル（ＢＣＣＨ；Ｂｒｏａｄｃａｓｔ Ｃｏｎｔｒｏｌ Ｃｈａｎｎｅｌ）を介して報知情報を報知する。報知情報は、例えば、ＭＩＢ（Ｍａｓｔｅｒ Ｉｎｆｏｒｍａｔｉｏｎ Ｂｌｏｃｋ）やＳＩＢ（Ｓｙｓｔｅｍ Ｉｎｆｏｒｍａｔｉｏｎ Ｂｌｏｃｋ）などの情報である。
【００５２】
（無線フレーム）  
以下において、第１通信システムにおける無線フレームについて説明する。図２は、第１通信システムにおける無線フレームを示す図である。
【００５３】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００５４】
なお、１つのスロットは、下り方向において、複数のＯＦＤＭシンボル（例えば、６つのＯＦＤＭシンボル或いは７つのＯＦＤＭシンボル）によって構成される。同様に、１つのスロットは、上り方向において、複数のＳＣＦＤＭＡシンボル（例えば、６つのＳＣ−ＦＤＭＡシンボル或いは７つのＳＣ−ＦＤＭＡシンボル）によって構成される。
【００５５】
（無線リソース）  
以下において、第１通信システムにおける無線リソースについて説明する。図３は、第１通信システムにおける無線リソースを示す図である。
【００５６】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００５７】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００５８】
また、無線リソースは、ｅＮＢ１１０Ａによって割当てられる。ｅＮＢ１１０Ａは、ＣＱＩ、ＰＭＩ、ＲＩなどに基づいて、各ＵＥ１０に割当てられる。
【００５９】
（移動通信方法）  
以下において、第１実施形態に係る移動通信方法について説明する。以下においては、３つのケースについて説明する。
【００６０】
（ケース１）  
以下においては、ＭＢＭＳサービス情報が一般セルから報知され、ＭＢＭＳサービス変更情報が特定セルから報知されるケースについて説明する。なお、ＵＥ１０は特定セルに在圏する。なお、在圏は、アイドル状態及びコネクティッド状態の双方を示す用語であることに留意すべきである。
【００６１】
詳細には、ケース１において、移動通信方法は、一般セルが、ＭＢＭＳデータの内容を示すＭＢＭＳサービス情報を報知するステップＡと、ＭＢＭＳサービス情報が変更される旨及びＭＢＭＳサービス情報が報知されるタイミングを示すＭＢＭＳサービス変更情報を報知するステップＢと、特定セルが、ＭＢＭＳサービス変更情報を報知するステップＣと、ＵＥ１０が、特定セルから報知されるＭＢＭＳサービス変更情報によって示されるタイミングにおいて、一般セルから報知されるＭＢＭＳサービス情報を受信するステップＤとを備える。
【００６２】
ここで、ステップＣにおいて、特定セルは、ＭＢＭＳサービス変更情報によって示されるタイミングにおいて、下り方向共有チャネルを介して下り方向データの送信を停止することが好ましい。
【００６３】
これによって、特定セルの属する周波数が一般セルの属する周波数と同じであっても、異なっていても、一般セルから報知されるＭＢＭＳサービス情報の監視に伴って、特定セルから下り方向共有チャネルを介して送信される下り方向データを受信できないという問題が生じない。
【００６４】
また、特定セルの属する周波数が一般セルの属する周波数と同じ場合においては、特定セルから下り方向共有チャネルを介して送信される下り方向データと一般セルから報知されるＭＢＭＳサービス情報との間の干渉がＵＥ１０において生じない。
【００６５】
ケース１において、移動通信方法は、移動通信システムのインタフェースを介して、ＭＢＭＳサービス変更情報を取得するステップＥを備えてもよい。なお、移動通信システムのインタフェースは、基地局間インタフェース（Ｘ２インタフェース）、又は、コアネットワーク経由のインタフェース（Ｓ１インタフェース）などである。
【００６６】
或いは、ケース１において、移動通信方法は、特定セルが、一般セルから報知されるＭＢＭＳサービス変更情報を監視して、ＭＢＭＳサービス変更情報を取得するステップＥを備えてもよい。このようなケースにおいて、特定セルの属する周波数が一般セルの属する周波数と同じである場合には、特定セルは、一般セルからＭＢＭＳサービス変更情報が報知されるタイミングにおいて、上り方向データの送信を停止させるように、特定セルに在圏するＵＥ１０を制御してもよい。例えば、特定セルは、一般セルからＭＢＭＳサービス変更情報が報知されるタイミングにおける上り方向データの送信の停止指示をＵＥ１０に送信する。これによって、ＵＥ１０から送信される上り方向データと一般セルから報知されるＭＢＭＳサービス変更情報との間の干渉が特定セルにおいて生じない。
【００６７】
（ケース２）  
以下においては、ＭＢＭＳサービス情報及びＭＢＭＳサービス変更情報が特定セルから報知されるケースについて説明する。なお、ＵＥ１０は特定セルに在圏する。なお、在圏は、アイドル状態及びコネクティッド状態の双方を示す用語であることに留意すべきである。
【００６８】
詳細には、ケース２において、移動通信方法は、特定セルが、ＭＢＭＳデータの内容を示すＭＢＭＳサービス情報が報知されるタイミングを示すＭＢＭＳサービス変更情報を報知するステップＡと、ＭＢＭＳサービス変更情報によって示されるタイミングにおいて、ＭＢＭＳサービス情報を報知するステップＢと、特定セルに在圏する移動端末が、特定セルから報知されるＭＢＭＳサービス変更情報によって示されるタイミングにおいて、特定セルから報知されるＭＢＭＳサービス情報を受信するステップＣとを備える。ここで、ＭＢＭＳサービス変更情報は、ＭＢＭＳサービス情報が報知される旨を含むことが好ましい。ＭＢＭＳサービス変更情報は、ＭＢＭＳサービス情報が変更される旨を含むことが好ましい。
【００６９】
ケース２において、移動通信方法は、移動通信システムのインタフェースを介して、ＭＢＭＳサービス情報を取得するステップＥを備えてもよい。なお、移動通信システムのインタフェースは、基地局間インタフェース（Ｘ２インタフェース）、又は、コアネットワーク経由のインタフェース（Ｓ１インタフェース）などである。
【００７０】
或いは、ケース２において、移動通信方法は、特定セルが、一般セルから報知されるＭＢＭＳサービス情報を監視して、ＭＢＭＳサービス情報を取得するステップＥを備えてもよい。例えば、特定セルは、一般セルから報知されるＭＢＭＳサービス変更情報を監視して、一般セルからＭＢＭＳサービス情報が報知されるタイミングを特定し、特定されたタイミングにおいてＭＢＭＳサービス情報を監視して、ＭＢＭＳサービス情報を取得する。このようなケースにおいて、特定セルの属する周波数が一般セルの属する周波数と同じである場合には、特定セルは、一般セルからＭＢＭＳサービス情報が報知されるタイミングにおいて、上り方向データの送信を停止させるように、特定セルに在圏するＵＥ１０を制御してもよい。例えば、特定セルは、一般セルからＭＢＭＳサービス情報が報知されるタイミングにおける上り方向データの送信の停止指示をＵＥ１０に送信してもよい。このようなケースにおいて、特定セルは、一般セルからＭＢＭＳサービス変更情報が報知されるタイミングにおいて、上り方向データの送信を停止させるように、特定セルに在圏するＵＥ１０を制御してもよい。例えば、特定セルは、一般セルからＭＢＭＳサービス変更情報が報知されるタイミングにおける上り方向データの送信の停止指示をＵＥ１０に送信してもよい。これによって、ＵＥ１０から送信される上り方向データと一般セルから報知されるＭＢＭＳサービス情報との間の干渉が特定セルにおいて生じない。
【００７１】
なお、ケース２において、特定セルからＭＢＭＳサービス変更情報が報知されるため、特定セルからＭＢＭＳサービス情報が報知されるタイミングは、特定セルで任意に定めることが可能である。言い換えると、特定セルからＭＢＭＳサービス情報が報知されるタイミングは、一般セルからＭＢＭＳサービス情報が報知されるタイミングと異なっていてもよい。すなわち、特定セルからＭＢＭＳサービス変更情報の内容は、一般セルから報知されるＭＢＭＳサービス変更情報の内容と異なっていてもよい。
【００７２】
（ケース３）  
以下においては、ＭＢＭＳサービス情報が特定セルからユニキャストで送信されるケースについて説明する。なお、ＵＥ１０は特定セルにおいてコネクティッド状態である。
【００７３】
詳細には、ケース３において、移動通信方法は、一般セルが、ＭＢＭＳデータの内容を示すＭＢＭＳサービス情報を報知するステップＡと、特定セルが、ＭＢＭＳサービス情報を一般セルから取得して、特定セルと接続された移動端末に対して、ＭＢＭＳサービス情報を送信するステップＢと、特定セルと接続された移動端末が、特定セルからＭＢＭＳサービス情報を受信するステップＣとを備える。
【００７４】
ケース３において、移動通信方法は、移動通信システムのインタフェースを介して、ＭＢＭＳサービス情報を取得するステップＤを備えてもよい。なお、移動通信システムのインタフェースは、基地局間インタフェース（Ｘ２インタフェース）、又は、コアネットワーク経由のインタフェース（Ｓ１インタフェース）などである。
【００７５】
或いは、ケース３において、移動通信方法は、特定セルが、一般セルから報知されるＭＢＭＳサービス情報を監視して、ＭＢＭＳサービス情報を取得するステップＤを備えてもよい。例えば、特定セルは、一般セルから報知されるＭＢＭＳサービス変更情報を監視して、一般セルからＭＢＭＳサービス情報が報知されるタイミングを特定し、特定されたタイミングにおいてＭＢＭＳサービス情報を監視して、ＭＢＭＳサービス情報を取得する。このようなケースにおいて、特定セルの属する周波数が一般セルの属する周波数と同じである場合には、特定セルは、一般セルからＭＢＭＳサービス情報が報知されるタイミングにおいて、上り方向データの送信を停止させるように、特定セルに在圏するＵＥ１０を制御してもよい。例えば、特定セルは、一般セルからＭＢＭＳサービス情報が報知されるタイミングにおける上り方向データの送信の停止指示をＵＥ１０に送信してもよい。このようなケースにおいて、特定セルは、一般セルからＭＢＭＳサービス変更情報が報知されるタイミングにおいて、上り方向データの送信を停止させるように、特定セルに在圏するＵＥ１０を制御してもよい。例えば、特定セルは、一般セルからＭＢＭＳサービス変更情報が報知されるタイミングにおける上り方向データの送信の停止指示をＵＥ１０に送信してもよい。これによって、ＵＥ１０から送信される上り方向データと一般セルから報知されるＭＢＭＳサービス情報との間の干渉が特定セルにおいて生じない。
【００７６】
なお、ケース３において、ＭＢＭＳサービス情報がユニキャストで送信されるため、特定セルからＭＢＭＳサービス変更情報を報知する必要がないことに留意すべきである。
【００７７】
（無線基地局）  
以下において、第１実施形態に係る無線基地局について説明する。図４は、第１実施形態に係る無線基地局３１０を示すブロック図である。ここでは、上述したケース２について主として説明する。無線基地局３１０は、特定セルを管理する無線基地局である。無線基地局３１０は、ｅＮＢ１１０Ａであってもよく、ＨｅＮＢ１１０Ｂであってもよい。
【００７８】
図４に示すように、無線基地局３１０は、受信部３１３と、送信部３１４と、インタフェース３１５と、制御部３１６とを有する。
【００７９】
受信部３１３は、無線基地局３１０によって管理されるセルと接続されたＵＥ１０から上りリンク信号を受信する。受信部３１３は、例えば、上り方向共有チャネル（ＰＵＳＣＨ）を介して上りリンク信号を受信する。
【００８０】
送信部３１４は、無線基地局３１０によって管理されるセルと接続されたＵＥ１０に下りリンク信号を送信する。例えば、送信部３１４は、ＭＢＭＳデータの内容を示すＭＢＭＳサービス情報が報知されるタイミングを示すＭＢＭＳサービス変更情報を報知する。また、送信部３１４は、ＭＢＭＳサービス変更情報によって示されるタイミングにおいて、ＭＢＭＳサービス情報を報知する。第１実施形態において、送信部３１４は、ＭＢＭＳサービス変更情報及びＭＢＭＳサービス情報を報知する報知部を構成する。
【００８１】
ここで、ＭＢＭＳサービス変更情報は、報知チャネルを用いて報知される情報（ＳＩＢ）であり、ＭＢＭＳサービス情報は、報知チャネルを用いて報知される情報（ＳＩＢ）である。ＭＢＭＳサービス変更情報は、ＭＢＭＳサービス情報が報知される旨を含むことが好ましい。ＭＢＭＳサービス変更情報は、ＭＢＭＳサービス情報が変更される旨を含むことが好ましい。
【００８２】
インタフェース３１５は、バックホール・ネットワーク経由で他の無線基地局と通信を行うインタフェースである。インタフェース３１５は、無線基地局同士を直接的に接続するＸ２インタフェースである。或いは、インタフェース３１５は、無線基地局同士を上位ノード（例えば、ＭＭＥ１３０）経由で接続するＳ１インタフェースである。
【００８３】
制御部３１６は、無線基地局３１０の動作を制御する。制御部３１６は、例えば、ＵＥ１０に無線リソースを割当てる。
【００８４】
（移動端末）  
以下において、第１実施形態に係る移動端末について説明する。図５は、第１実施形態に係るＵＥ１０を示すブロック図である。ここでは、上述したケース２について主として説明する。図５に示すように、ＵＥ１０は、受信部１１と、送信部１２と、制御部１３とを有する。
【００８５】
受信部１１は、無線基地局３１０（特定セル）から下りリンク信号を受信する。例えば、受信部１１は、ＭＢＭＳデータの内容を示すＭＢＭＳサービス情報が報知されるタイミングを示すＭＢＭＳサービス変更情報を受信する。また、受信部１１は、ＭＢＭＳサービス変更情報によって示されるタイミングにおいて、ＭＢＭＳサービス情報を受信する。
【００８６】
上述したように、ＭＢＭＳサービス変更情報及びＭＢＭＳサービス情報は、無線基地局３１０（特定セル）から報知される。
【００８７】
送信部１２は、無線基地局３１０に上りリンク信号を送信する。送信部１２は、例えば、上り方向共有チャネル（ＰＵＳＣＨ）を介して上りリンク信号を送信する。
【００８８】
制御部１３は、ＵＥ１０の動作を制御する。制御部１３は、例えば、無線基地局３１０によって割当てられた無線リソースを用いて、上りリンク信号の送信及び下りリンク信号の受信を制御する。
【００８９】
（移動通信方法）  
以下において、第１実施形態に係る移動通信方法について説明する。図６は、第１実施形態に係る移動通信システム１００の動作を示すシーケンス図である。ここでは、上述したケース２について主として説明する。
【００９０】
図６に示すように、ステップ１０において、無線基地局３１０（特定セル）は、ＭＢＭＳデータの内容を示すＭＢＭＳサービス情報が報知されるタイミングを示すＭＢＭＳサービス変更情報を報知する。一方で、ＵＥ１０は、ＭＢＭＳデータの内容を示すＭＢＭＳサービス情報が報知されるタイミングを示すＭＢＭＳサービス変更情報を受信する。ステップ２０において、無線基地局３１０（特定セル）は、ＭＢＭＳサービス変更情報によって示されるタイミングにおいて、ＭＢＭＳサービス情報を報知する。一方で、ＵＥ１０は、ＭＢＭＳサービス変更情報によって示されるタイミングにおいて、ＭＢＭＳサービス情報を受信する。
【００９１】
（作用及び効果）  
ケース１では、ＭＢＭＳサービス変更情報が特定セルから報知されるため、移動端末は、一般セルから報知されるＭＢＭＳサービス情報を受信することができる。従って、待受セルが特定セルであっても、移動端末は、ＭＢＭＳデータに関する情報（ＭＢＭＳサービス情報）を継続的に取得することができる。
【００９２】
ケース２では、ＭＢＭＳサービス情報及びＭＢＭＳサービス変更情報が特定セルから報知されるため、移動端末は、特定セルから報知されるＭＢＭＳサービス情報を受信することができる。従って、待受セルが特定セルであっても、移動端末は、ＭＢＭＳデータに関する情報（ＭＢＭＳサービス情報）を継続的に取得することができる。
【００９３】
ケース３では、特定セルと接続された移動端末に対して、ＭＢＭＳサービス情報が特定セルから送信される。すなわち、ＭＢＭＳサービス情報がユニキャストで特定セルから移動端末に送信される。従って、接続セルが特定セルであっても、移動端末は、ＭＢＭＳデータに関する情報（ＭＢＭＳサービス情報）を継続的に取得することができる。
【００９４】
［その他の実施形態］  
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９５】
上述した実施形態では特に触れていないが、ＵＥ１０が実行する各ステップをコンピュータに実行させるプログラムが提供されてもよい。或いは、ＵＥ１０が実行する各ステップ（上述したプログラム）を実行するプロセッサが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００９６】
なお、米国仮出願第６１／５２３１３１号（２０１１年８月１２日出願）の全内容が、参照により、本願明細書に組み込まれている。
【産業上の利用可能性】
【００９７】
本発明によれば、待受セルが特定セルであっても、ＭＢＭＳデータに関する情報（ＭＢＭＳサービス情報）を継続的に移動端末が取得することができる。
【図１】
0005442158.tif 000002
【図２】
0005442158.tif 000003
【図３】
0005442158.tif 000004
【図４】
0005442158.tif 000005
【図５】
0005442158.tif 000006
【図６】
0005442158.tif 000007